(57)【要約】【課題】ユーザーが、被写体の追尾に集中しながら駒数情報を良好な視認性にて確認することができ、かつ駒数情報を表示するための新たな部材を追加することによるコストアップ及び装置構成の複雑化を避けたカメラの表示装置及びカメラを提供すること。【解決手段】複数の焦点検出領域の中から所望の焦点検出領域を、ファインダー視野内において被写体像に重畳して表示するスーパーインポーズユニット６を具備し、上記スーパーインポーズユニット６は、撮影可能な残り駒数及び既に撮影した駒数のうち何れか一方を、上記ファインダー視野内において被写体像に重畳して表示する。【選択図】      図１
2006267915.tif 000002
【特許請求の範囲】
【請求項１】
複数の焦点検出領域の中から所望の焦点検出領域を、ファインダー視野内において被写体像に重畳して表示する表示手段を具備し、
上記表示手段は、撮影可能な残り駒数及び既に撮影した駒数のうち何れか一方を、上記ファインダー視野内において被写体像に重畳して表示することを特徴とするカメラの表示装置。
【請求項２】
一駒のみの撮影を行う単写モードと、連写撮影を行う連写モードとを切り替え選択する選択手段を更に具備し、
上記選択手段により上記連写モードが選択されている場合に、上記表示手段は、撮影可能な残り駒数及び既に撮影した駒数のうち何れか一方を、上記ファインダー視野内において被写体像に重畳して表示することを特徴とする請求項１に記載のカメラの表示装置。
【請求項３】
上記表示手段は、撮影可能な残り駒数又は既に撮影した駒数の表示を、数字により表示することを特徴とする請求項１又は請求項２に記載のカメラの表示装置。
【請求項４】
上記表示手段は、撮影可能な残り駒数又は既に撮影した駒数の表示を、点像の点灯により表示することを特徴とする請求項１又は請求項２に記載のカメラの表示装置。
【請求項５】
上記表示手段は、撮影可能な残り駒数又は既に撮影した駒数の表示を、点像により構成されるバーによって表示することを特徴とする請求項１又は請求項２に記載のカメラの表示装置。
【請求項６】
複数の焦点検出領域を有する焦点検出手段と、
上記焦点検出手段の出力に基づいて、上記複数の焦点検出領域の中から少なくとも１つの領域を、焦点調節を行う領域として選択する焦点調節領域選択手段と、
上記焦点調節領域選択手段の出力に基づいて、上記焦点調節を行う領域をファインダー視野内において被写体像に重畳して表示するスーパーインポーズ表示手段と、
連写撮影を行う連写モードか、１駒の撮影を行う単写モードかを設定する撮影モード設定手段と、
上記連写モード時の撮影シーケンスを制御する連写シーケンス制御手段と、
撮影可能な残り駒数及び既に撮影した駒数のうち何れか一方を演算する駒数演算手段と、を具備し、
上記連写シーケンス制御手段は、上記撮影モード設定手段により設定された連写モードによる連写撮影時には、上記スーパーインポーズ表示手段に、上記ファインダー視野内において被写体像に重畳して上記駒数演算手段の演算結果の表示を行わせることを特徴とするカメラ。
【請求項７】
上記駒数演算手段の演算結果の表示は、数字により表示することを特徴とする請求項６に記載のカメラ。
【請求項８】
上記駒数演算手段の演算結果の表示は、点像の点灯により表示することを特徴とする請求項６に記載のカメラ。
【請求項９】
上記駒数演算手段の演算結果の表示は、点像により構成されるバーにより表示することを特徴とする請求項６に記載のカメラ。
【発明の詳細な説明】
【技術分野】
【０００１】
本発明は、カメラの表示装置及びカメラに関し、特に、複数の焦点検出領域の検出手段及び該焦点検出領域を表示する装置を具備し、かつ連続撮影が可能であるカメラの表示装置及びカメラに関する。
【背景技術】
【０００２】
近年のカメラは、シャッターボタンの操作により１駒の撮影を行う単写モードと、シャッターボタンを操作している間撮影動作を繰り返して複数の駒を連続撮影する連写モードとを備えている機種が多い。
【０００３】
また、この連写モードにおける連写速度は、特に一眼レフレックスカメラにおいて高速化の傾向があり、フィルムカメラだけでなくデジタルカメラにおいても、まもなく１秒間に十数駒〜数十駒の連続撮影を行うことが可能になると予想されている。
【０００４】
このような連写モードにて撮影を行う場合、連写撮影中に、今既に何駒撮影したのか、あるいは撮影可能な残りの駒数は何駒であるか、という撮影駒数の情報を得る必要性が生じる。このような要請から、特許文献１乃至特許文献３に、以下のような技術が開示されている。
【０００５】
まず、特許文献１に開示されているカメラの表示装置では、ファインダー内に、現在の撮影枚数と全フィルム枚数とを同時に表示する。これにより、ユーザーは、ファインダーから目を離さずにフィルムの残り枚数を認識することができる。
【０００６】
また、特許文献２に開示されているカメラでは、連写撮影モード時に、残り撮影可能駒数（フィルム残数）を、ファインダー内に設ける表示器に表示する。これにより、連写撮影時のフィルム残数の警告を行うことができる。
【０００７】
特許文献３に開示されているカメラの表示装置では、撮影可能な残り駒数が、所定の駒数以下になった場合に、その旨をファインダーの画面に警告表示する。これにより、意図しないタイミングで、フィルム等の撮像媒体の残り撮影可能駒数が零になることで、撮影タイミングを逃してしまうことを極力避けることができる。
【特許文献１】特開平５−２１６１０８号公報
【特許文献２】特開平８−１６６６３２号公報
【特許文献３】特開２００４−２５１９２９号公報
【発明の開示】
【発明が解決しようとする課題】
【０００８】
また、上記特許文献１に開示されているカメラの表示装置、及び上記特許文献２に開示されているカメラでは、ファインダー内の視野外（被写体像画面の外部、つまりファインダー内の視野の外周辺部）に、現在の撮影枚数と全フィルム枚数を表示する。このような表示位置では、撮影者にとって、視認性が良好な表示であるとは言えない。また、移動する被写体を撮影することが多い高速連写撮影においては、撮影者は被写体の追尾に集中するために、視認性が低い表示であると、該表示の認識が困難となる。
【０００９】
さらに、上記特許文献２に開示されているカメラでは、駒数表示専用の表示器を設けているために、コストアップは避けられないと言える。
【００１０】
また、上記特許文献３に開示されているカメラの表示装置では、撮影可能な残り駒数が所定の駒数以下になった場合に、その旨をファインダーの画面に表示する警告表示として、パトローネ形状を形取ったアイコンを用いる。すなわち、具体的に、撮影可能な残り駒数または既に撮影した駒数を、ユーザーに知らせることができない。また、撮影可能な残り駒数が所定の駒数以下になるまで、駒数に関する情報をユーザーに知らせることができない。
【００１１】
本発明は、上述の事情に鑑みてなされたものであり、ユーザーが、被写体の追尾に集中しながら駒数情報を良好な視認性にて確認することができ、かつ駒数情報を表示するための新たな部材を追加することによるコストアップ及び装置構成の複雑化を避けたカメラの表示装置及びカメラを提供することを目的とする。
【課題を解決するための手段】
【００１２】
上記の目的を達成するために、本発明の第１の態様によるカメラの表示装置は、複数の焦点検出領域の中から所望の焦点検出領域を、ファインダー視野内において被写体像に重畳して表示する表示手段を具備し、上記表示手段は、撮影可能な残り駒数及び既に撮影した駒数のうち何れか一方を、上記ファインダー視野内において被写体像に重畳して表示することを特徴とする。
【００１３】
上記の目的を達成するために、本発明の第２の態様によるカメラは、複数の焦点検出領域を有する焦点検出手段と、上記焦点検出手段の出力に基づいて、上記複数の焦点検出領域の中から少なくとも１つの領域を、焦点調節を行う領域として選択する焦点調節領域選択手段と、上記焦点調節領域選択手段の出力に基づいて、上記焦点調節を行う領域をファインダー視野内において被写体像に重畳して表示するスーパーインポーズ表示手段と、連写撮影を行う連写モードか、１駒の撮影を行う単写モードかを設定する撮影モード設定手段と、上記連写モード時の撮影シーケンスを制御する連写シーケンス制御手段と、撮影可能な残り駒数及び既に撮影した駒数のうち何れか一方を演算する駒数演算手段と、を具備し、上記連写シーケンス制御手段は、上記撮影モード設定手段により設定された連写モードによる連写撮影時には、上記スーパーインポーズ表示手段に、上記ファインダー視野内において被写体像に重畳して上記駒数演算手段の演算結果の表示を行わせることを特徴とする。
【発明の効果】
【００１４】
本発明によれば、本来は選択した焦点検出領域の表示用であるファインダー視野内のスーパーインポーズ表示のみを行うスーパーインポーズ表示手段を、駒数情報（連写撮影時の残り可能駒数もしくは既撮影済み駒数）の表示にも用いることにより、ユーザーが、被写体の追尾に集中しながら駒数情報を良好な視認性にて確認することができ、かつ駒数情報を表示するための新たな部材を追加することによるコストアップ及び装置構成の複雑化を避けたカメラの表示装置及びカメラを提供することができる。
【発明を実施するための最良の形態】
【００１５】
以下、図面を参照して本発明の実施形態を説明する。
【００１６】
[第１実施形態]
図１は、本発明の第１実施形態に係るカメラの表示装置及びカメラにおける特徴部の概念を示すブロック図である。以下、同図を参照しながら、本実施形態に係るカメラの表示装置及びカメラに特徴的な制御概念について説明する。
【００１７】
まず、焦点検出部２は、複数の焦点検出領域に対応した焦点検出が可能なＡＦ（Ａｕｔｏ  Ｆｏｃｕｓ）センサである。この焦点検出部２は、本実施形態に係るカメラにおける撮影レンズの焦点ずれ量を検出し、該焦点ずれ量を焦点調節領域選択部４に出力する。
【００１８】
上記焦点調節領域選択部４は、焦点検出部２の出力に基づいて、複数の焦点検出領域の中から、いずれの焦点検出領域における焦点検出結果を採用するかを、所定のアルゴリズムによって選択する。さらに、選択した領域における焦点検出結果に基づいて、撮影レンズを合焦位置に駆動させるとともに、選択した焦点検出領域をファインダー内に表示させる点灯信号を、スーパーインポーズユニット６へ出力する。
【００１９】
上記スーパーインポーズユニット６は、ファインダー内の被写体像に重畳してＬＥＤ光を投影する部材であり、一般的には、そのＬＥＤ光により、焦点調節領域選択部４によって選択された焦点検出領域の表示（焦点領域選択結果表示８）を行う。さらに、本実施形態においては、このスーパーインポーズユニット６は、そのＬＥＤ光により、撮影可能な残り駒数や、既に撮影済みの駒数等である駒数情報の表示（駒数情報表示１０）も行うようになっている。
【００２０】
撮影モード設定部１２は、１駒のみ撮影する単写モードと連続的に撮影する連写モードとのうち、どちらのモードにて撮影を行うかを、ユーザーが設定するための部材である。
【００２１】
上記撮影モード設定部１２において、連写モードが設定された場合には、連写シーケンス制御部１４により、連写時の撮像等のシーケンス制御が行われる。
【００２２】
また、連写モード時においては、駒数演算部１６は、連写モードにて既に撮影した駒数や、記録メディアの容量等を考慮し、撮影可能な残り枚数を演算し、該演算の結果を上記スーパーインポーズユニット６に出力する。このようにしてスーパーインポーズユニット６に入力された駒数に関する情報が、駒数情報表示１０としてファインダー内の被写体に重畳して表示される。
【００２３】
以下、図２を参照して、本実施形態に係るカメラの主要部の構成を、ここでは一眼レフレックスカメラを例に説明する。図２は、本実施形態に係る一眼レフレックスカメラ（デジタルカメラ）の断面図を示している。なお、本実施形態を適用することができるカメラは、一眼レフレックスカメラに限らないことは勿論である。
【００２４】
まず、本実施形態に係るカメラは、カメラ本体１８の正置時における下部に、焦点を検出するための焦点検出部２を具備する。
【００２５】
通常時には、撮影レンズ２０を通過した光束（被写体像からの光束）は、メインミラー２２により、ペンタプリズム２４へ入射する方向へ反射される。このペンタプリズム２４から射出した後、上記光束は、ファインダー光学系２５へ入射し、観察者による観察が可能となる。また、撮影レンズ２０を通過した上記光束の一部は、撮影レンズ２０を射出後、メインミラー２２を透過し、該メインミラー２２と一体に取り付けられたサブミラー２６で反射され、焦点検出部２に入射する。
【００２６】
この焦点検出部２は、撮影レンズ２０を通過した光束を絞り込む視野マスク２８と、該光束のうちの赤外光成分をカットする赤外カットフィルタ３０と、集光するためのコンデンサレンズ３２と、光束を全反射するミラーである全反射ミラー３４と、光束の通過量を制限する瞳マスク３６と、エリアセンサ３８と、該エリアセンサ３８上の光電変換素子群（不図示；図３にて参照符号４０が付された部材）上に再結像させる再結像レンズ４２と、を具備する。ここで、上記エリアセンサ３８は、上記光電変換素子群（図３における参照符号４０）の処理回路を含む。
【００２７】
また、撮影時においては、上記メインミラー２２を図２に示す破線の位置までミラーアップさせることで、該メインミラー２２及びサブミラー２６を退避させる。さらに、シャッター部４４を所定時間だけ開き、撮影レンズ２０を通過した光束により撮像素子４６を露光させる構成となる。
【００２８】
さらに、カメラ本体１８正置時におけるペンタプリズム２４の上方には、同図に示すようにスーパーインポーズユニット６が設置される。これにより、ファインダー内に示される被写体画面に重畳して、該スーパーインポーズユニット６によりＬＥＤ光を投影してファインダー内に点像を表示することができる。
【００２９】
以下、上記焦点検出部２における光学系を中心とした焦点検出光学系について、説明する。図３は、焦点検出光学系を模式的に示す図である。
【００３０】
なお、本実施形態における焦点検出方式は、公知のＴＴＬ（Ｔｈｒｏｕｇｈ  Ｔｈｅ  Ｌｅｎｓ）位相差ＡＦ方式を用いる。
【００３１】
図３に示すように、本実施形態に係るカメラにおける焦点検出光学系は、その光路中に撮影レンズ２０、コンデンサレンズ３２、撮影レンズ２０の光軸に対して略対称に配置された開口部３６ａ，３６ｂを有する瞳マスク３６、これら開口部３６ａ，３６ｂに対応した後方に設けた再結像レンズ４２ａ，４２ｂ、及びエリアセンサ３８を具備する。なお、エリアセンサ３８は、多数の光電変換素子からなる光電変換素子群４０が配列された領域３８ａ、及び領域３８ｂを有する。
【００３２】
なお、図３では、焦点検出光学系の光路上に実際には存在するメインミラー２２、サブミラー２６、視野マスク２８、赤外カットフィルタ３０、及び全反射ミラー３４の図示を省略した。
【００３３】
このような構成の焦点検出光学系により、撮影レンズ２０における射出瞳の領域Ｈａ，Ｈｂを通過して入射した被写体光束は、コンデンサレンズ３２を介して瞳マスク３６の開口部３６ａ，３６ｂをそれぞれ通過し、さらに再結像レンズ４２ａ，４２ｂをそれぞれ介してエリアセンサ３８の有する領域３８ａ，３８ｂにおける光電変換素子群４０上に、第１の像及び第２の像としてそれぞれ再結像される。
【００３４】
このようにして再結像した上記第１の像と上記第２の像との間隔を検出測定することにより、撮影レンズ２０の合焦状態を、前ピン及び後ピンを含めて検出することができる。
【００３５】
具体的には、第１の像及び第２の像の光強度分布を、それぞれ開口部３６ａ，３６ｂに対応するエリアセンサ３８における領域３８ａ及び３８ｂに対応する被写体像データの出力により求めて、上記第１の像と上記第２の像との間隔を測定できる構成としている。
【００３６】
以上、図３を参照して説明した焦点検出光学系は、理解を容易にするために１つの焦点検出領域に対応した構成の焦点検出光学系としたが、同図に示す構成の焦点検出光学系から、複数の焦点検出領域に対応した焦点検出光学系を構成することができるのは言うまでも無い。
【００３７】
以下、図４を参照して、本実施形態に係るカメラのシステム構成を説明する。図４は、本実施形態に係るカメラ内部の回路構成を詳細に示したブロック図である。なお、図２においては説明の焦点を絞る為に、本実施形態に係るカメラをカメラ本体１８として示したが、実際には、本実施形態に係るカメラはレンズ鏡筒１８ａとカメラボディ部１８ｂとから構成されるため、図４においてはそのように示した。
【００３８】
レンズ鏡筒１８ａの各部の制御はレンズ制御用マイクロコンピュータ（以下、Ｌｕｃｏｍと称する）１０１によって行われる。一方、カメラボディ部１８ｂの各部の制御はボディ制御用マイクロコンピュータ（以下、Ｂｕｃｏｍと称する）２０１によって行われる。ここで、カメラボディ部１８ｂにレンズ鏡筒１８ａが装着された際には、通信コネクタ１０１ａを介してＬｕｃｏｍ１０１とＢｕｃｏｍ２０１とが通信可能に接続される。この場合、カメラシステムとして、Ｌｕｃｏｍ１０１がＢｕｃｏｍ２０１に従属するようにして稼動するようになっている。
【００３９】
また、上述したように、レンズ鏡筒１８ａの内部には、撮影レンズ２０が配設されている。ここで、図４においては、撮影レンズ２０を構成する複数の光学レンズを１つの光学レンズで代表して図示している。この撮影レンズ２０は、レンズ駆動機構１０３内に存在する図示しないＤＣモータにより、その光軸方向に駆動される。
【００４０】
また、撮影レンズ２０の後方には絞り１０４が設けられている。この絞り１０４は、絞り駆動機構１０５内に存在する図示しないステッピングモータによって開閉駆動される。絞り１０４の開閉が制御されることによって、撮影レンズ２０を介してカメラボディ部１８ｂに入射する被写体からの光束の光量が制御される。
【００４１】
ここで、レンズ駆動機構１０３内のＤＣモータの制御及び絞り駆動機構１０５内のステッピングモータの制御は、Ｂｕｃｏｍ２０１の指令を受けたＬｕｃｏｍ１０１によって行われる。
【００４２】
また、カメラボディ部１８ｂの内部には、メインミラー２２、ペンタプリズム２４、ファインダー光学系２５から構成されるファインダー装置が設けられている。カメラが通常状態にある場合には、上述したように、撮影レンズ２０を介して入射した被写体からの光束の一部がメインミラー２２で反射される。これによって、ペンタプリズム２４、及びファインダー光学系２５を介して観察用の像が形成される。
【００４３】
ここで、ペンタプリズム２４の近傍には測光回路２０４が設けられており、ペンタプリズム２４を通過した光束の一部が測光回路２０４内の図示しないホトセンサに入射するようになっている。測光回路２０４では、ホトセンサで検出された光束の光量に基づき周知の測光処理が行われる。測光回路２０４で処理された結果は、Ｂｕｃｏｍ２０１に送信される。Ｂｕｃｏｍ２０１では、測光回路２０４から入力された結果に基づいて撮影時の露光量が演算される。この結果は、Ｂｕｃｏｍ２０１からＬｕｃｏｍ１０１に送信される。Ｌｕｃｏｍ１０１では、Ｂｕｃｏｍ２０１から通知された露光量に基づいて絞り１０４の駆動制御が行われる。
【００４４】
さらに、同図に示すように、ペンタプリズム２４上方には、スーパーインポーズユニット６が配置され、ファインダー内の被写体画面に重畳してＬＥＤ光を投影してファインダー内に点像を表示する。このスーパーインポーズユニット６により、ユーザーは現在選択されている測距点の情報等を得ることができる。なお、スーパーインポーズユニット６については、後に図５を参照して詳細に説明する。
【００４５】
また、メインミラー２２を透過してサブミラー２６で反射された光束は自動焦点調節処理（ＡＦ処理）を行うためのＡＦセンサユニットである焦点検出部２に導かれる。焦点検出部２の内部には、上述したようにエリアセンサ３８が設けられており、該エリアセンサ３８に入射した光束は電気信号に変換される。このエリアセンサ３８からの出力は、ＡＦセンサ駆動回路２０６を介してＢｕｃｏｍ２０１へ送信される。そして、Ｂｕｃｏｍ２０１において測距処理が行われ、撮影レンズ２０のデフォーカス量が演算される。この結果は、Ｂｕｃｏｍ２０１からＬｕｃｏｍ１０１に送信される。Ｌｕｃｏｍ１０１では、Ｂｕｃｏｍ２０１から通知されたデフォーカス量から焦点調節に必要な撮影レンズ２０の駆動量が演算され、駆動量に基づいて撮影レンズ２０の駆動制御が行われる。
【００４６】
また、カメラが撮影動作状態にあるときには、メインミラー２２が撮影レンズ２０の光軸から退避する所定のアップ位置に移動される。このようなメインミラー２２の駆動は、ミラー駆動機構２０７によって行われる。また、ミラー駆動機構２０７の制御は、Ｂｕｃｏｍ２０１によって行われる。ここで、メインミラー２２がアップ位置に移動された場合には、それに伴ってサブミラー２６が折り畳まれるようになっている。
【００４７】
メインミラー２２がアップ位置に移動されることによって、撮影レンズ２０を透過した被写体からの光束はシャッター部４４の方向に入射する。フォーカルプレーン式のシャッター部４４を構成する先幕と後幕とを駆動するためのばね力は、シャッターチャージ機構２０９によってチャージされる。また、先幕と後幕の駆動は、シャッター制御回路２１０によって行われる。これらシャッターチャージ機構２０９及びシャッター制御回路２１０は、Ｂｕｃｏｍ２０１によって制御される。
【００４８】
シャッター部４４を通過した光束は、シャッター部４４の後方に配置された撮像ユニット２１１内部の撮像素子４６に入射する。この撮像素子４６は、撮像素子４６と撮影レンズ２０との間に配設された防塵フィルタ２１３によって保護されている。防塵フィルタ２１３は、例えばガラス等の透明部材で構成されている。
【００４９】
また、防塵フィルタ２１３の周縁部には、該防塵フィルタ２１３を所定の振動周波数で振動させるための圧電素子２１４が取り付けられている。圧電素子２１４は、２つの電極を有しており、防塵フィルタ駆動回路２１５によって駆動される。また、防塵フィルタ２１３の制御は、Ｂｕｃｏｍ２０１によって行われる。防塵フィルタ駆動回路２１５によって圧電素子２１４を振動させることによって、防塵フィルタ２１３が振動する。これによって、防塵フィルタ２１３の表面に付着した塵埃が払い落とされる。
【００５０】
ここで、撮像素子４６と圧電素子２１４とは、防塵フィルタ２１３を一面とするケース内に一体的に収納されている。これにより、撮像素子４６への塵埃の付着を確実に防止することができる。
【００５１】
また、撮像ユニット２１１の近傍には、温度測定回路２１６が設けられている。通常、温度はガラス製の物材の弾性係数に影響する。つまり、温度の変化は防塵フィルタ２１３の固有振動数を変化させる要因の１つとなるため、防塵フィルタ２１３を振動させる際には、常にその周辺温度が計測されるようにしている。なお、温度測定回路２１６の温度測定ポイントは防塵フィルタ２１３の振動面の極近傍に設定することが好ましい。このように、温度の変化を考慮しながら防塵フィルタ２１３の振動を制御することにより、常に最適な条件で防塵フィルタ２１３を振動させることが可能である。
【００５２】
撮像素子４６で得られた電気信号（画像信号）は、所定タイミング毎にインターフェイス回路２１７を介して読み出されてデジタル化される。インターフェイス回路２１７でデジタル化されて得られた画像データは、画像処理コントローラ２１８を介してＳＤＲＡＭなどで構成されたバッファメモリ２１９に格納される。ここで、バッファメモリ２１９は、画像データなどのデータの一時保管用メモリであり、画像データに各種処理が施される際のワークエリアなどに利用される。
【００５３】
また、電子ビューファインダ（ＥＶＦ）表示が行われる時には、インターフェイス回路２１７を介して読み出され、バッファメモリ２１９に格納された画像データが画像処理コントローラ２１８によって読み出される。画像処理コントローラ２１８によって読み出された画像データは、ＥＶＦ表示用のホワイトバランス補正などの画像処理が施された後、バッファメモリ２１９に格納される。その後、バッファメモリ２１９に格納された画像データは、フレーム単位で画像処理コントローラ２１８によって読み出されてビデオ信号に変換される。このビデオ信号は、表示用の所定のサイズにリサイズされた後、表示手段としての液晶モニタ２２２に表示される。
【００５４】
また、撮影終了後には、インターフェイス回路２１７を介して読み出され、バッファメモリ２１９に格納された画像データが画像処理コントローラ２１８によって読み出される。画像処理コントローラ２１８によって読み出された画像データは、ホワイトバランス補正や、階調補正、色補正などの周知の画像処理が施された後、バッファメモリ２１９に格納される。その後、バッファメモリ２１９に格納された画像データが画像処理コントローラ２１８によって読み出されてビデオ信号に変換され、表示用の所定のサイズにリサイズされた後、液晶モニタ２２２に出力表示される。ユーザーは、液晶モニタ２２２に表示された画像により、撮影した画像を確認することができる。
【００５５】
また、画像記録時には、画像処理コントローラ２１８によって処理された画像データが、ＪＰＥＧ方式などの周知の圧縮方式によって圧縮される。ＪＰＥＧ圧縮によって得られたＪＰＥＧデータは、バッファメモリ２１９に格納された後、所定のヘッダ情報が付加されたＪＰＥＧファイルとしてＦｌａｓｈＲＯＭ２２０や記録メディア２２１に記録される。ここで、ＦｌａｓｈＲＯＭ２２０はカメラに内蔵のメモリを想定しており、記録メディア２２１はカメラの外部に装着され得るものを想定している。記録メディア２２１としては、例えばカメラに着脱自在に構成されたメモリカードやハードディスクドライブなどが用いられる。
【００５６】
また、ＦｌａｓｈＲＯＭ２２０や記録メディア２２１に記録されたＪＰＥＧファイルから画像を再生する際には、ＦｌａｓｈＲＯＭ２２０や記録メディア２２１に記録されたＪＰＥＧデータが画像処理コントローラ２１８によって読み出されて伸長される。その後、この伸長データがビデオ信号に変換された後、表示用の所定のサイズにリサイズされ、液晶モニタ２２２に出力表示される。
【００５７】
また、Ｂｕｃｏｍ２０１には、カメラ制御に必要な所定の制御パラメータを記憶する不揮発性メモリ２２３がアクセス可能に接続されている。この不揮発性メモリ２２３は、例えば書き換え可能なＥＥＰＲＯＭで構成されている。
【００５８】
更に、Ｂｕｃｏｍ２０１には、電源回路２２４を介して電源としての電池２２５が接続されている。電源回路２２４では、電池２２５の電圧が、当該カメラシステムの各部が必要とする電圧に変換され、当該カメラシステムの各部に供給される。
【００５９】
更に、Ｂｕｃｏｍ２０１には、当該カメラの動作状態を表示出力によってユーザーに告知するための動作表示用ＬＣＤ２２６と、当該カメラの各種操作部材の操作状態を検出するためのカメラ操作ＳＷ（カメラ操作スイッチ）２２７とが接続されている。
【００６０】
以下、図５を参照して、上記スーパーインポーズユニット６の構成及び動作制御について説明する。図５は、スーパーインポーズユニット６の構成及び動作制御を概略的に示す図である。
【００６１】
スーパーインポーズユニット６は、ＬＥＤ駆動回路２５０、複数のＬＥＤを有するＬＥＤ群２５２、及びスーパーインポーズ光学系２５４を具備する。また、このスーパーインポーズユニット６は、上記Ｂｕｃｏｍ２０１により制御される。
【００６２】
ここで、上記ＬＥＤ群２５２は、焦点検出領域の個数と同数のＬＥＤを有する。また、該ＬＥＤ群２５２は、その有するＬＥＤをそれぞれ独立にＯＮ／ＯＦＦ制御ができるよう構成されている。すなわち、上記ＬＥＤ駆動回路２５０は、上記ＬＥＤ群２５２のＬＥＤを駆動するための回路であり、トランジスタにより各ＬＥＤの点灯制御をすることが可能となっている。この場合、Ｂｕｃｏｍ２０１によるＰＷＭ（Ｐｕｌｓｅ  Ｗｉｄｔｈ  Ｍｏｄｕｌａｔｉｏｎ  ；パルス幅変調）制御により、各トランジスタのＯＮ／ＯＦＦ制御を行うことで、各ＬＥＤの点灯時間が制御される。
【００６３】
上記スーパーインポーズ光学系２５４は、上記ＬＥＤ群２５２の有する複数のＬＥＤによるＬＥＤ光を、ファインダー視野２５６内に導いて、該ファインダー視野２５６において通常の表示に重畳して表示するように投光する光学系である。この投光したＬＥＤ像は、同図に示すＬＥＤ投光像２５８のように表示される。また、この表示色としては、例えば赤色で表示されるようにする。なお、この表示の色を赤色ではなく、他の色を用いても勿論よい。
【００６４】
以上説明したように、上記ファインダー視野２５６内には、上記ＬＥＤ群２５２の有するＬＥＤの数だけ、上記ＬＥＤ投光像２５８を表示させることが可能である。つまり、複数ある焦点検出領域のうち、選択した所望の焦点検出領域のみを表示させることができる。さらに、本実施形態では、連写モードでの撮影中に、残り撮影可能駒数や既撮影済み駒数を表示させることができる。
【００６５】
以下、図６を参照して、本実施形態に係るカメラにおける撮影シーケンスを説明する。図６は、本実施形態に係るカメラの撮影シーケンスを示すフローチャートである。
【００６６】
まず、本実施形態に係るカメラのレリーズボタンと、図６に示す撮影シーケンスとの関係について説明する。本実施形態に係るカメラにおけるレリーズボタン（不図示）は、一般的な２段階構造となっている。具体的には、該レリーズボタンの半押し（以降、第１レリーズと称す）により、カメラ操作ＳＷ２２７内の第１レリーズスイッチ（不図示）がＯＮして測光動作及び合焦動作が開始される。さらに、レリーズボタンの全押し（以降、第２レリーズと称す）により、カメラ操作ＳＷ２２７内の第２レリーズスイッチ（不図示）がＯＮして露光動作へ至る動作が開始される。したがって、第１レリーズスイッチがＯＮされることで、図示しないカメラのメインルーチンから図６に示す撮影シーケンスに移行し、以下に説明するような動作が開始される。
【００６７】
まず、ユーザーによってレリーズボタンが半押しされると、第１レリーズスイッチがＯＮされる。これに応じて、測光回路２０４において測光処理が行われる。この結果は、Ｂｕｃｏｍ２０１に送信され、Ｂｕｃｏｍ２０１において、露光量が演算され、シャッター部４４の開口時間や絞り１０４の絞り値が求まる（Ｓ１）。つまり、Ｓ１は、ＡＥのステップである。
【００６８】
次に、ＡＦセンサユニットである焦点検出部２において検出された信号が、ＡＦセンサ駆動回路２０６を介してＢｕｃｏｍ２０１へ送信される。これに応じて、Ｂｕｃｏｍ２０１において、測距処理が行われ、焦点調節に必要な撮影レンズ２０のデフォーカス量が演算される。さらに、複数の焦点検出領域のうち、どの焦点検出領域を選択するかを、所定のアルゴリズムに従って決定する。その後、Ｌｕｃｏｍ１０１が、上記デフォーカス量に基づいて、撮影レンズ２０を合焦位置まで駆動させることで合焦状態を得る（Ｓ２）。つまり、Ｓ２は、ＡＦのステップである。
【００６９】
続いて、上記Ｓ２にて選択した焦点検出領域であるＡＦ領域が、図５を用いて説明したようにスーパーインポーズユニット６によって、ファインダー視野２５６に表示される（Ｓ３）。
【００７０】
その後、ユーザーによって第２レリーズスイッチがＯＮされたか否か、即ちレリーズボタンが全押しされたか否かが判定される（Ｓ４）。ここで、第２レリーズスイッチがＯＮされていればＳ６に移行して露光制御等を行う。一方、ＯＦＦであればＳ５に分岐する。
【００７１】
上記Ｓ４において、第２レリーズスイッチがＯＮされていない場合には、上記Ｓ４からＳ５に分岐して、第１レリーズスイッチがＯＮのままであるか否かが判定される（Ｓ５）。上記Ｓ５の判定において、第１レリーズスイッチがＯＮのままである場合には、ステップＳ５からステップＳ４に戻る。一方、ステップＳ５の判定において、第１レリーズスイッチがＯＦＦされた場合には、本撮影シーケンスを終了し、図示しないカメラのメインルーチンにリターンする。
【００７２】
また、ステップＳ４の判定において、第２レリーズスイッチがＯＮされた場合には、ステップＳ４からステップＳ６に分岐して、メインミラー２２がアップ位置に移動される（Ｓ６）。
【００７３】
続いて、上記Ｓ１で演算された露光量に基づいて、絞り１０４の絞り込みが行われる（Ｓ７）。
【００７４】
次に、連写モードであるか否かが判定される（Ｓ８）。連写モードとは、連続して撮影を行う撮影モードである。なお、連写モードと単写モードのうちどちらの撮影モードを用いるかの選択は、ユーザーによるカメラ操作ＳＷ２２７内の所定のスイッチの操作により行われる。ここで、単写モードが選択されていれば、Ｓ９へ移行し、連写モードが選択されていればＳ１６へ移行する。
【００７５】
上記Ｓ８にて連写モードが選択された場合、撮像素子４６の撮像動作が開始される（Ｓ１６）。
【００７６】
その後、上記Ｓ１で演算された露光量に基づいてシャッター部４４の開閉駆動が行われる（Ｓ１７）。
【００７７】
上記シャッター部４４が閉じられた後、撮像素子４６の撮像動作が停止される。さらに、インターフェイス回路２１７にて、上記撮像素子４６で得られた電気信号（画像信号）である撮像データの読み出しが行われる（Ｓ１８）。
【００７８】
続いて、スーパーインポーズユニット６が駆動され、上記ＡＦ領域の表示に代えて、残り撮影可能駒数や既撮影済み駒数等が、ファインダー視野２５６内に表示される（Ｓ１９）。なお、該Ｓ１９については、図７を参照して詳細に説明する。
【００７９】
次に、上記Ｓ１８で読み出された撮像データが、画像処理コントローラ２１８により画像処理される（Ｓ２０）。
【００８０】
上記Ｓ２０での画像処理により得られた画像データが、バッファメモリ２１９に一時的に格納される（Ｓ２１）。なお、連写モードによる撮影中では、より多くの連写可能駒数を確保するために、順次記録メディア２２１へ画像データが記録されるようにしても勿論よい。
【００８１】
次に、絞り１０４が開放され（Ｓ２２）、メインミラー２２がダウン位置に移動される（Ｓ２３）。さらに、ユーザーによって第２レリーズスイッチがＯＦＦされたか否かが判定される（Ｓ２４）。ここで、第２レリーズスイッチがまだＯＮされていれば、Ｓ２５に分岐して連写撮影シーケンスを継続する。Ｓ２５は、上記Ｓ１と同様のＡＥが行われるステップであり、Ｓ２６は、上記Ｓ２と同様のＡＦが行われるステップである。このＳ２６を経た後は、上記Ｓ６に戻って再び上述した撮影シーケンスのステップを辿る。一方、第２レリーズスイッチが、ＯＦＦされていればＳ２７に分岐する。
【００８２】
連写シーケンスが終了したので、上記Ｓ２１においてバッファメモリ２１９に格納した連写中の画像データが、例えばＪＰＥＧ形式でＦｌａｓｈＲＯＭ２２０や記録メディア２２１に記録される（Ｓ２７）。その後、該撮影シーケンス終了して、上位のルーチンにリターンする。
【００８３】
以下、上記Ｓ８において、連写モードが選択されなかった場合（単写モードが選択された場合）の撮影シーケンスを説明する。
【００８４】
上記Ｓ８にて単写モードが選択された場合、撮像素子４６の撮像動作が開始される（Ｓ９）。
【００８５】
その後、上記Ｓ１で演算された露光量に基づいてシャッター部４４の開閉駆動が行われる（Ｓ１０）。
【００８６】
上記シャッター部４４が閉じられた後、撮像素子４６の撮像動作が停止される。さらに、インターフェイス回路２１７にて、上記撮像素子４６で得られた電気信号（画像信号）である撮像データの読み出しが行われる（Ｓ１１）。
【００８７】
次に、上記Ｓ１１で読み出された撮像データが、画像処理コントローラ２１８により画像処理され画像データとなる（Ｓ１２）。
【００８８】
次に、絞り１０４が開放され（Ｓ１３）、メインミラー２２がダウン位置に移動される（Ｓ１４）。
【００８９】
撮像素子４６の撮像動作が停止された後、画像データが、例えばＪＰＥＧ形式でＦｌａｓｈＲＯＭ２２０や記録メディア２２１に記録される（ステップＳ１５）。その後、該撮影シーケンス終了し、上位のルーチンにリターンする。
【００９０】
以下、図６に示すフローチャートにおけるＳ１９の“駒数を表示”ステップのサブルーチンについて、図７に示すフローチャートを参照して詳細に説明する。
【００９１】
まず、ユーザーにより事前に行われた、連写撮影中に駒数をスーパーインポーズ表示させるときの表示形態の設定が、上記バッファメモリ２１９から読み出される（Ｓ５１）。
【００９２】
なお、本実施形態に係るカメラでは、以下に列挙するような項目について、どのような形態にて連写撮影中に駒数をスーパーインポーズ表示させるかを設定することが出来る。この設定は、カメラ操作ＳＷ２２７の中の所定のスイッチの操作により行われる。具体的には、ユーザーにより、該スイッチの操作が為されることで、液晶モニタ２２２にメニュー形式で表示される項目についての設定が行われる。なお、この設定は上記バッファメモリ２１９に保存される。ここで、このような設定を行うことが可能な項目として、例えば以下の項目を挙げることができる。
【００９３】
（ａ）ＯＮ／ＯＦＦ設定
この項目は、連写撮影中に駒数をスーパーインポーズ表示させるか否かの設定を行う項目である。この項目において、スーパーインポーズ表示をさせる旨の設定を行うことで、スーパーインポーズ表示がＯＮされる。
【００９４】
（ｂ）表示インターバル設定
この項目は、連写撮影中に駒数をスーパーインポーズ表示させる場合に、何駒に一度その表示を更新するかを設定する項目である。この項目の設定においては、ユーザーが、連写撮影の速度と、スーパーインポーズ表示の見易さとのバランスを考慮して設定する。
【００９５】
（ｃ）カウントアップ／ダウン設定
この項目は、スーパーインポーズ表示をカウントアップ式で行うか、カウントダウン式で行うかの選択を行う項目である。
【００９６】
ここで、カウントアップが設定されると、今回の連写撮影で既に撮影済みの駒数が表示される。一方、カウントダウンが設定されると、記録メディア２２１の残り容量、ＳＤＲＡＭであるバッファメモリ２１９の残り容量、及びユーザーが別途設定するＪＰＥＧ圧縮モード（ユーザーにより別途設定）の３つを考慮して、今回の連写撮影での残り撮影可能駒数が、Ｂｕｃｏｍ２０１により演算され、その演算結果に基づいてスーパーインポーズ表示が行われる。
【００９７】
（ｄ）一旦消灯設定
この項目は、スーパーインポーズ表示の表示更新完了後から次の表示更新までの間に、今回のスーパーインポーズ表示をどのくらい維持させるかの設定を行う項目である。
【００９８】
この項目での設定により、スーパーインポーズ表示をただちに消灯させることから、次回のスーパーインポーズ表示の表示更新までそのまま表示させておくことまで、所望の表示時間を設定できる。
【００９９】
（ｅ）表示形式設定
この項目は、どのような表示形式によりスーパーインポーズ表示を行うかを設定する項目である。
【０１００】
この項目では、スーパーインポーズ表示による駒数の表示を、例えば数字により表示する形式、または点像の移動により表示する形式、さらにはバー表示による形式等のいずれの表示形式を採るかの設定を行う。なお、この表示形式については、後に詳述する。
【０１０１】
上記Ｓ５１において、このような項目についてのユーザーによるスーパーインポーズ表示の表示形態の設定がバッファメモリ２１９から読み出されたならば、次に、Ｂｕｃｏｍ２０１により、上記ＯＮ／ＯＦＦ設定において、ＯＦＦ設定が為されたか否かが判断される（Ｓ５２）。ここで、ＯＦＦ設定が為されている場合は、スーパーインポーズ表示を行わないので、リターンされる。
【０１０２】
上記Ｓ５２において、スーパーインポーズ表示がＯＮ設定されていると、Ｂｕｃｏｍ２０１により判断された場合は、前回のスーパーインポーズ更新時点から、上記Ｓ５１にて設定された表示インターバルの駒数だけ経過したか否かが、Ｂｕｃｏｍ２０１により判断される（Ｓ５３）。
【０１０３】
なお、連写撮影１駒目時点では、“前回のスーパーインポーズ表示”は存在しないため、Ｓ５３のステップは不要である。したがって、このときにスーパーインポーズ表示を行うか否かは単純にユーザーの好みの問題となるので、Ｎ分岐するかＹ分岐するかは、ユーザーがカメラ操作ＳＷ２２７を操作することにより設定することが出来るよう構成する。なお、この場合にＮ分岐するかＹ分岐するかが、あらかじめ設定されている構成としても勿論よい。
【０１０４】
上記Ｓ５３において、設定された表示インターバルの駒数だけ経過したと判断された場合は、上記Ｓ５１にて為されたカウントアップ／ダウン設定が、カウントダウンに設定されているか否かを判断する（Ｓ５４）。
【０１０５】
上記Ｓ５４において、カウントダウンが設定されている場合には、記録メディア２２１の残り容量、ＳＤＲＡＭであるバッファメモリ２１９の残り容量、及びＪＰＥＧ圧縮モード（ユーザーが別途設定）の３つを考慮して、今回の連写撮影での残り撮影可能駒数が、Ｂｕｃｏｍ２０１により演算され、その演算結果に基づいて、スーパーインポーズ表示の表示更新が行われる（Ｓ５５）。そして、その後リターンされる。
【０１０６】
なお、ここでどのような表示形式にて表示するかは、上記Ｓ５１において設定された表示形式設定に従うとする。
【０１０７】
他方、上記Ｓ５４にて、カウントダウン設定が為されていないと判断された場合には、カウントアップが設定されている場合であるので、今回の連写撮影で既に撮影済みの駒数が、Ｂｕｃｏｍ２０１により演算され、その演算結果に基づいて、スーパーインポーズ表示の表示更新が行われる（Ｓ５６）。そして、その後リターンされる。
【０１０８】
なお、ここでどのような表示形式にて表示するかは、上記Ｓ５１において設定された表示形式設定に従うとする。
【０１０９】
また、上記Ｓ５３の“更新インターバル経過判定”ステップにて、設定された表示インターバルの駒数だけ経過したと判断されなかった場合は、上記Ｓ５１で為された表示インターバル設定及び一旦消灯設定に従って、スーパーインポーズ表示の消灯、またはスーパーインポーズ表示の維持がなされる（Ｓ５７）。そして、その後リターンされる。
【０１１０】
本実施形態では、上述したような制御によりスーパーインポーズ表示を行うが、このスーパーインポーズ表示は、カメラの有する焦点検出領域と以下のような関係がある。
【０１１１】
図５を参照して上述したように、スーパーインポーズ光学系２５４は、ＬＥＤ群２５２の有する複数のＬＥＤによるＬＥＤ光を、ファインダー視野２５６内に導いて、該ファインダー視野２５６において通常の表示に重畳して表示するように投光する光学系である。そして、上記ＬＥＤ群２５２は、焦点検出領域の個数と同数のＬＥＤを有する。したがって、カメラの持つ焦点検出領域の個数が多いほど、スーパーインポーズ表示として様々な表示を行うことができる。
【０１１２】
そして、近年、カメラの持つ焦点検出領域は多くなり、中には４０領域以上の焦点検出領域を持つカメラさえある。さらに、将来的には、より多くの検出領域を持つカメラの出現も容易に考えられる。このような状況により、スーパーインポーズ表示による駒数表示は、今後様々な形式の表示を行うことが可能になると言える。
【０１１３】
本実施形態に係るカメラにおいては、スーパーインポーズ表示の表示形式として、図８及び図９に示すような表示形式を採る。以下、図８及び図９を参照して、本実施形態におけるスーパーインポーズ表示の表示形式を説明する。ここで、本実施形態におけるスーパーインポーズ表示の表示形式のうち、図８に示す表示形式は、カウントダウン方式を採用した場合、図９に示す表示形式は、カウントアップ方式を採用した場合の表示形式である。
【０１１４】
まず、図８に示すカウントダウン方式の場合から説明する。
【０１１５】
本実施形態に係るカメラは比較的多数の焦点検出領域を持つカメラであるとして、スーパーインポーズ表示による駒数の表示を、数字にて表現する。
【０１１６】
まず、ここでは、上述した表示インターバル設定＝１０に設定されている場合の例で示す。図８に示すように、（ａ）→（ｂ）→（ｃ）→（ｄ）→（ｅ）の順番にて、記録メディア２２１の残り容量、ＳＤＲＡＭであるバッファメモリ２１９の残り容量、及びＪＰＥＧ圧縮モード（ユーザーにより別途設定）の３つを考慮して、Ｂｕｃｏｍ２０１にて演算された今回の連写撮影での残り撮影可能駒数が、同図に示すように数字にて表現され、順次表示更新されていく。
【０１１７】
このように、本実施形態では駒数を数字にて表現することで、非常に良好な視認性を得ることができる。
【０１１８】
続いて、図９を参照してカウントアップ方式の場合について説明する。ここでは、上述したカウントダウン方式の場合と同様に、表示インターバル設定＝１０の場合を例に説明する。
【０１１９】
同図に示すように、（ａ）→（ｂ）→（ｃ）→（ｄ）→（ｅ）の順で、今回の連写撮影で既に撮影済みの駒数が、順次表示更新されていく。なお、カウントアップ方式であるので、表示される駒数は、今回の連写撮影で既に撮影済みの駒数である。したがって、ユーザーは、被写体の追尾に集中しながら“これまでにおよそ何駒撮影済みであるか”の情報を良好な視認性にて確認できる。
【０１２０】
以上説明したように、本実施形態によれば、本来は選択した焦点検出領域の表示用であるファインダー視野内のスーパーインポーズ表示のみを行うスーパーインポーズ表示手段を、駒数情報（連写撮影時の残り可能駒数もしくは既撮影済み駒数）の表示にも用いることにより、ユーザーが、被写体の追尾に集中しながら駒数情報を良好な視認性にて確認することができるカメラの表示装置及びカメラを提供することができる。
【０１２１】
また、上述のような構成を採ることで、駒数情報を表示するための新たな部材を追加することによるコストアップ及び装置構成の複雑化を避けることができる。
【０１２２】
［第２実施形態］
以下、図面を参照して、本発明の第２実施形態を説明する。
【０１２３】
なお、上記第１実施形態と本実施形態との相違点は、スーパーインポーズ表示による駒数表示の表示形式のみである。つまり、本実施形態に係るカメラ及びカメラの表示装置における構成、及び動作制御は、上記第１実施形態と同様である。したがって、以下、本実施形態に特有の部分である、スーパーインポーズ表示による駒数表示の表示形式のみを説明する。
【０１２４】
図１０は、本実施形態におけるスーパーインポーズ表示の表示形式を示す図である。なお、同図はカウントダウン方式の場合を示す。
【０１２５】
本実施形態においては、スーパーインポーズ表示による駒数表示として、点灯させる点像により構成されるバーによる表示形式を用いる。ここでは、表示インターバル設定＝１０に設定された場合を例に説明する。
【０１２６】
まず、図１０に示すスーパーインポーズ表示の見方を説明する。同図（ａ）は残り５０駒、（ｂ）は残り４０駒、（ｃ）は残り３０駒、（ｄ）は残り２０駒、（ｅ）は残り１０駒を示す。このように、残り駒数が１０駒減少するほど、点灯される点像で構成されるバーが左に一列シフトする。したがって、同図に示すように、（ａ）→（ｂ）→（ｃ）→（ｄ）→（ｅ）の順に表示更新が為される。
【０１２７】
なお、本実施形態では、記録メディア２２１の残り容量、ＳＤＲＡＭであるバッファメモリ２１９の残り容量、ＪＰＥＧ圧縮モード（ユーザーにより別途設定）の３つを考慮して、Ｂｕｃｏｍ２０１により演算された、今回の連写撮影での残り撮影可能駒数が、表示更新されていく。
【０１２８】
続いて、図１１を参照してカウントアップ方式の場合について説明する。
【０１２９】
ここでは、上述したカウントダウン方式の場合と同様に、点灯させる点像により構成されるバーによる駒数を表示し、また表示インターバル設定＝１０の場合の例で示す。
【０１３０】
まず、図１１に示すスーパーインポーズ表示の見方を説明する。同図（ａ）は１０駒撮影済み、（ｂ）は２０駒撮影済み、（ｃ）は３０駒撮影済み、（ｄ）は４０駒撮影済み、（ｅ）は５０駒撮影済みを示す。このように、撮影済み駒数が増加するほど、点灯される点像で構成されるバーが右に一列シフトする。したがって、（ａ）→（ｂ）→（ｃ）→（ｄ）→（ｅ）の順に表示更新が為される。
【０１３１】
なお、点灯される点像により構成されるバーが、右端まで到達しても更に撮影を行うことが可能な場合には、バーを左端まで戻し、再び（ａ）→（ｂ）→（ｃ）→（ｄ）→（ｅ）の順で表示更新を行っても勿論よい。
【０１３２】
なお、本実施形態では、１０駒の駒数変動毎にバーを左方又は右方に一列シフトさせたが、このバーのシフトは１０駒の駒数変動毎に限らないことは言うまでも無い。つまり、２０駒や３０駒等の駒数変動毎に、バーをシフトさせる制御を行っても勿論よい。
【０１３３】
以上説明したように、本実施形態によれば、上記第１実施形態と同様の効果を奏することができる。さらに、本実施形態においては、駒数情報（連写撮影時の残り可能駒数もしくは既撮影済み駒数）を具体的な数字ではなく、点灯される点像により構成されるバーの移動により表現するため、ユーザーは、イメージとして瞬時に駒数情報を認識することができると言える。
【０１３４】
また、本実施形態は、上記第１実施形態を適用することが出来ないほど、焦点検出領域の少ないカメラに対しても適用することが出来る。つまり、図１０に示す程の点像を有さないカメラであっても、横や縦の列が削減されるだけであって、全く問題無く本実施形態を適用することができる。この場合の表示形式の例を、以下に示す。
【０１３５】
まず、図１２に示す表示形式は、図１０を用いて説明した表示形式を、より少ない焦点検出領域を有するカメラに対して適用可能に変形した場合の例である。
【０１３６】
以下、図１２に示すスーパーインポーズ表示の見方を説明する。同図（ａ）は残り５０駒、（ｂ）は残り４０駒、（ｃ）は残り３０駒、（ｄ）は残り２０駒、（ｅ）は残り１０駒を示す。つまり、本実施形態では、残り駒数が１０駒減少するほど、点灯される点像が左に一列シフトする。したがって、（ａ）→（ｂ）→（ｃ）→（ｄ）→（ｅ）の順に表示更新が為される。
【０１３７】
このように、バーではなく１つの点像にて、駒数の変動を表現する。このような表現形式をとることで、一段目の点像による表示を終えた後に、二段目、三段目、…、と順次下段へ移行して点像による表示を行うことで、同図に示す点像数では、最大で９×５×１０駒＝４５０駒が表現できる。
【０１３８】
一方、図１３に示す表示形式は、図１１を用いて説明した表示形式を、より少ない焦点検出領域を有するカメラに対して適用可能に変形した場合の例である。したがって、図１３に示す表現形式は、図１２に示す表現形式においてカウントアップ方式を採った場合の表現形式であると言える。
【０１３９】
まず、図１３に示すスーパーインポーズ表示の見方を説明する。同図（ａ）は１０駒撮影済み、（ｂ）は２０駒撮影済み、（ｃ）は３０駒撮影済み、（ｄ）は４０駒撮影済み、（ｅ）は５０駒撮影済みを示す。このように、撮影済み駒数が増加するほど、点灯される点像が右に一列シフトする。したがって、（ａ）→（ｂ）→（ｃ）→（ｄ）→（ｅ）の順に表示更新が為される。
【０１４０】
なお、点灯される点像が、右端まで到達しても更に撮影を行うことが可能な場合には、二段目の左端の点像から順に、１段目における場合と同様に、表示更新を行っても勿論よい。
【０１４１】
このような表示形式を採った場合、図１２に示した表示形式と同様、最大４５０駒の駒数を表現することができる。
【０１４２】
以上説明したように、図１２及び図１３で示した表示形式によれば、点像が比較的少ないカメラにおいても、本来は選択した焦点検出領域の表示用であるファインダー視野内のスーパーインポーズ表示を、残り撮影可能駒数表示と兼用することにより、ユーザーが、被写体の追尾に集中しながら、駒数情報（連写撮影時の残り可能駒数もしくは既撮影済み駒数）を確認することができるカメラの表示装置及びカメラを提供することができる。
【０１４３】
［第３実施形態］
以下、図面を参照して、本発明の第３実施形態を説明する。
【０１４４】
なお、上記第１実施形態乃至第２実施形態と本実施形態との相違点は、スーパーインポーズ表示による駒数表示の表示形式のみである。つまり、本実施形態に係るカメラ及びカメラの表示装置における構成、及び動作制御は、上記第１実施形態乃至第２実施形態と同様である。したがって、以下、本実施形態に特有の部分である、スーパーインポーズ表示による駒数表示の表示形式のみを説明する。
【０１４５】
なお、上記第２実施形態と本実施形態との、スーパーインポーズ表示による駒数表示の表示形式における相違点は、本実施形態においては、駒数情報を表現するバーを構成する点像の数を増やした点である。これにより、視認性がより高められた表現形式が実現した。
【０１４６】
図１４は、本実施形態におけるスーパーインポーズ表示の表示形式を示す図である。なお、同図はカウントダウン方式の場合を示す。
【０１４７】
本実施形態においては、スーパーインポーズ表示による駒数表示として、点灯される点像により構成されるバーの増減による表示形式を用いる。ここでは、表示インターバル設定＝１０に設定された場合を例に説明する。
【０１４８】
まず、図１４に示すスーパーインポーズ表示の見方を説明する。同図（ａ）は残り５０駒、（ｂ）は残り４０駒、（ｃ）は残り３０駒、（ｄ）は残り２０駒、（ｅ）は残り１０駒を示す。このように、残り駒数が１０駒減少する毎に、点像で構成されるバーの本数が、右端のバーから順に一列づつ減少していく。したがって、同図に示すように、（ａ）→（ｂ）→（ｃ）→（ｄ）→（ｅ）の順に表示更新が為される。
【０１４９】
なお、本実施形態では、記録メディア２２１の残り容量、ＳＤＲＡＭであるバッファメモリ２１９の残り容量、ＪＰＥＧ圧縮モード（ユーザーにより別途設定）の３つを考慮して、Ｂｕｃｏｍ２０１により演算された、今回の連写撮影での残り撮影可能駒数が、表示更新されていく。
【０１５０】
続いて、図１５を参照してカウントアップ方式の場合について説明する。
【０１５１】
ここでは、上述したカウントダウン方式の場合と同様に、点灯される点像により構成されるバーの増減により駒数を表示し、また表示インターバル設定＝１０の場合の例で示す。
【０１５２】
まず、図１５に示すスーパーインポーズ表示の見方を説明する。同図（ａ）は１０駒撮影済み、（ｂ）は２０駒撮影済み、（ｃ）は３０駒撮影済み、（ｄ）は４０駒撮影済み、（ｅ）は５０駒撮影済みを示す。このように、撮影済み駒数が増加するほど、点像で構成されるバーが、右方向へ一列づつ増加していく。したがって、（ａ）→（ｂ）→（ｃ）→（ｄ）→（ｅ）の順に表示更新が為される。
【０１５３】
なお、点像により構成されるバーが、右端まで到達しても更に撮影を行うことが可能な場合には、バーを左端まで戻し、再び（ａ）→（ｂ）→（ｃ）→（ｄ）→（ｅ）の順で表示更新を行っても勿論よい。
【０１５４】
なお、以上説明したように本実施形態では、１０駒の駒数変動毎にバーを左方又は右方に一列ずつ減少または増加させたが、これは１０駒の駒数変動毎に限らないことは言うまでも無い。つまり、２０駒や３０駒等の駒数変動毎に、バーを左方又は右方に一列ずつ減少または増加させる制御を行っても勿論よい。
【０１５５】
以上説明したように、本実施形態によれば、上記第１実施形態と同様の効果を奏することができる。さらに、本実施形態においては、駒数情報（連写撮影時の残り可能駒数もしくは既撮影済み駒数）を具体的な数字ではなく、点像により構成されるバーにより表示するため、例えばカウントアップ方式による場合には“バーが一番右まで到達すると〇〇駒撮影した”というように、ユーザーによる駒数情報の認識が容易になる。
【０１５６】
本実施形態では、駒数情報の表示に用いるバーを、上記第２実施形態におけるバーよりも、より多くの点像から構成されるバーとするので、上記第２実施形態よりも、スーパーインポーズ表示による駒数表示の視認性が向上する。
【０１５７】
さらに、本実施形態は、上記第１実施形態を適用することが出来ないほど、焦点検出領域の少ないカメラに対しても適用することが出来る。この場合は、横や縦の列が削減されるだけであって、全く問題無く本実施形態を適用することができる。この場合の表示形式の例を、以下に示す。
【０１５８】
まず、図１６に示す表示形式は、図１４を用いて説明した表示形式を、より少ない焦点検出領域を有するカメラに対して適用可能に変形した場合の例である。
【０１５９】
以下、図１６に示すスーパーインポーズ表示の見方を説明する。同図（ａ）は残り５０駒、（ｂ）は残り４０駒、（ｃ）は残り３０駒、（ｄ）は残り２０駒、（ｅ）は残り１０駒を示す。つまり、本実施形態では、残り駒数が１０駒減少する毎に、点像が左方に一つずつ減少していく。したがって、（ａ）→（ｂ）→（ｃ）→（ｄ）→（ｅ）の順に表示更新が為される。
【０１６０】
このように、バーの増減ではなく点像の増減にて、駒数の変動を表現する。なお、一段目の点像による表示を終えた後に、二段目、三段目、…、と順次下段へ移行して点像による表示を行う場合には、予め、二段目以降の段における点像を全て点灯させておき、上述した一段目と同様に順次点灯させる点像を減らしていくことで表示更新を行う。このようにして、同図に示す点像数では、最大で９×５×１０駒＝４５０駒を表現することができる。
【０１６１】
一方、図１７に示す表示形式は、図１５を用いて説明した表示形式を、より少ない焦点検出領域を有するカメラに対して適用可能に変形した場合の例である。したがって、図１７に示す表現形式は、図１６に示す表現形式においてカウントアップ方式を採った場合の表現形式であると言える。
【０１６２】
まず、図１７に示すスーパーインポーズ表示の見方を説明する。同図（ａ）は１０駒撮影済み、（ｂ）は２０駒撮影済み、（ｃ）は３０駒撮影済み、（ｄ）は４０駒撮影済み、（ｅ）は５０駒撮影済みを示す。このように、撮影済み駒数が増加するほど、点像が右方に一列ずつ増加していく。したがって、（ａ）→（ｂ）→（ｃ）→（ｄ）→（ｅ）の順に表示更新が為される。
【０１６３】
なお、点像が、右端まで到達しても更に撮影を行うことが可能な場合には、二段目の左端の点像から、一段目と同様にして点灯させる点像の増加による表示更新を行っても勿論よい。その後、三段目以降も同様にして用いることができる。
【０１６４】
このような表示形式を採った場合、図１６に示した表示形式と同様、最大４５０駒の駒数を表現することができる。
【０１６５】
以上説明したように、図１６及び図１７で示した表示形式によれば、点像が比較的少ないカメラにおいても、本来は選択した焦点検出領域の表示用であるファインダー視野内のスーパーインポーズ表示を、残り撮影可能駒数表示と兼用することにより、ユーザーが、被写体の追尾に集中しながら、駒数情報（連写撮影時の残り可能駒数もしくは既撮影済み駒数）を確認することができるカメラの表示装置及びカメラを提供することができる。
【０１６６】
以上、実施形態に基づいて本発明を説明したが、本発明は上述した実施形態に限定されるものではなく、本発明の要旨の範囲内で種々の変形及び応用が可能なことは勿論である。例えば、上述した各実施形態では、デジタルカメラを用いた例にて説明したが、フィルムカメラに対しても上述した各実施形態を適用することが出来る。この場合には、“撮影可能駒数”が“残りフィルム枚数”となるだけであり、さらに、デジタルカメラの場合のように、画像の圧縮率等を考慮した残り駒数演算が不要となる。また、フィルムの場合では最大でも撮影可能枚数は３６駒程度になるので、表示インターバルなどの細かいユーザー設定を不要にしてもよく、より簡潔なシステムとなる。
【０１６７】
さらに、上述した各実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１６８】
【図１】第１実施形態に係るカメラの表示装置及びカメラにおける特徴部の概念を示すブロック図。
【図２】第１実施形態に係る一眼レフレックスカメラの断面図。
【図３】焦点検出光学系を模式的に示す図。
【図４】本実施形態に係るカメラ内部の回路構成を詳細に示したブロック図。
【図５】スーパーインポーズユニットの構成及び動作制御を概略的に示す図。
【図６】第１実施形態に係るカメラの撮影シーケンスを示すフローチャート。
【図７】図６に示すフローチャートの“駒数を表示”ステップのサブルーチンを示すフローチャート。
【図８】第１実施形態におけるスーパーインポーズ表示の表示形式を表す図。
【図９】第１実施形態におけるスーパーインポーズ表示の表示形式を表す図。
【図１０】第２実施形態におけるスーパーインポーズ表示の表示形式を表す図。
【図１１】第２実施形態におけるスーパーインポーズ表示の表示形式を表す図。
【図１２】図１０に示す表示形式を、より少ない焦点検出領域を有するカメラに対して適用可能に変形した表示形式を表す図。
【図１３】図１１に示す表示形式を、より少ない焦点検出領域を有するカメラに対して適用可能に変形した表示形式を表す図。
【図１４】第３実施形態におけるスーパーインポーズ表示の表示形式を表す図。
【図１５】第３実施形態におけるスーパーインポーズ表示の表示形式を表す図。
【図１６】図１４に示す表示形式を、より少ない焦点検出領域を有するカメラに対して適用可能に変形した表示形式を表す図。
【図１７】図１５に示す表示形式を、より少ない焦点検出領域を有するカメラに対して適用可能に変形した表示形式を表す図。
【符号の説明】
【０１６９】
２…焦点検出部、  ４…焦点調節領域選択部、  ６…スーパーインポーズユニット、  １０…駒数情報表示、  １２…撮影モード設定部、  １４…連写シーケンス制御部、  １６…駒数演算部、  １８…カメラ本体、  １８ａ…レンズ鏡筒、  １８ｂ…カメラボディ部、  ２０…撮影レンズ、  ２１…防塵フィルタ、  ２２…メインミラー、  ２４…ペンタプリズム、  ２５…ファインダー光学系、  ２６…サブミラー、  ２８…視野マスク、  ３０…赤外カットフィルタ、  ３２…コンデンサレンズ、  ３４…全反射ミラー、  ３６…瞳マスク、  ３６ａ，３６ｂ…開口部、  ３８…エリアセンサ、  ３８ａ，３８ｂ…領域、  ４０…光電変換素子群、  ４２…再結像レンズ、  ４２ａ，４２ｂ…再結像レンズ、  ４４…シャッター部、  ４６…撮像素子、  １０１…レンズ制御用マイクロコンピュータ、  １０１ａ…通信コネクタ、  １０３…レンズ駆動機構、  １０５…絞り駆動機構、  ２０１…ボディ制御用マイクロコンピュータ、  ２０４…測光回路、  ２０６…ＡＦセンサ駆動回路、  ２０７…ミラー駆動機構、  ２０９…シャッターチャージ機構、  ２１０…シャッター制御回路、  ２１１…撮像ユニット、  ２１３…防塵フィルタ、  ２１４…圧電素子、  ２１５…防塵フィルタ駆動回路、  ２１６…温度測定回路、  ２１７…インターフェイス回路、  ２１８…画像処理コントローラ、  ２１９…バッファメモリ、  ２２０…ＲＯＭ、  ２２１…記録メディア、  ２２２…液晶モニタ、  ２２３…不揮発性メモリ、  ２２４…電源回路、  ２２５…電池、  ２２６…動作表示用ＬＣＤ、  ２２７…カメラ操作ＳＷ、  ２５０…ＬＥＤ駆動回路、  ２５２…ＬＥＤ群、  ２５４…スーパーインポーズ光学系、  ２５６…ファインダー視野、  ２５８…ＬＥＤ投光像
【図１】
2006267915.tif 000003
【図２】
2006267915.tif 000004
【図３】
2006267915.tif 000005
【図４】
2006267915.tif 000006
【図５】
2006267915.tif 000007
【図６】
2006267915.tif 000008
【図７】
2006267915.tif 000009
【図８】
2006267915.tif 000010
【図９】
2006267915.tif 000011
【図１０】
2006267915.tif 000012
【図１１】
2006267915.tif 000013
【図１２】
2006267915.tif 000014
【図１３】
2006267915.tif 000015
【図１４】
2006267915.tif 000016
【図１５】
2006267915.tif 000017
【図１６】
2006267915.tif 000018
【図１７】
2006267915.tif 000019